(57)【要約】  落下抑制デバイスを安全ハーネスに結合するためのコネクタ。コネクタは、１つ以上のロッキング機構を使用してベースの第１の側にロッキングするように構成された第１のピンを含んでもよい。第１のピンを使用して、１つ以上の落下抑制デバイスと係合して、１つ以上の落下抑制デバイスをコネクタに取り付けることができる。いくつかのかかる実施例では、ロッキング機構は、１つ以上の落下抑制デバイスがコネクタの端部を中心に自由に枢動することができるように、コネクタの第１の側の内側部内に配置されてもよい。いくつかの実施例では、コネクタは、１つ以上のロッキング機構を使用して、ベースの第２の側にロッキングするように構成された第２のピンを含んでもよい。第２のピンを使用して、コネクタを作業者の安全ハーネスに便利かつ解放可能に取り付けることができる。
2020526343.tif 000002
【特許請求の範囲】
【請求項１】
複数の落下抑制デバイスを安全ハーネスに結合するためのコネクタであって、
前記コネクタは、
ロッキングノッチを有するピンと、
第１の側を画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の受容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備える、コネクタ。
【請求項２】
前記ロッキングノッチは、前記ピンのシャフトに沿って画定された第１のロッキングノッチを備え、
前記ピンの前記シャフトは、前記第１のロッキングノッチとは離れた別個の第２のロッキングノッチを更に画定し、
前記ロッキング機構は、前記ピンが部分閉鎖構成にあるときに、前記ピンの前記第２のロッキングノッチと解放可能に係合して、前記ピンが前記第３の受容チャネルを通って摺動して引き抜かれることを防止するように構成されており、
前記ピンは、第１及び第３の受容部によって画定される前記複数の第１の側開口部の第１の開口部にまたがる、請求項１に記載のコネクタ。
【請求項３】
前記ロッキング機構は、第１のロッキング機構を備え、
前記コネクタは、前記複数の第１の側受容部のうちの１つに接続された第２のロッキング機構を更に備える、請求項１に記載のコネクタ。
【請求項４】
前記複数の第１の側受容部は、第４の受容チャネルを画定する第４の受容部を備え、
前記第４の受容部は、前記第３の受容部と前記第２の受容部との間に配置されており、
前記第４の受容部は、前記第２のロッキング機構を備える、請求項３に記載のコネクタ。
【請求項５】
前記第１の受容部は、前記第１の受容チャネルに対して実質的に垂直に延びる横方向チャネルを画定し、
前記ピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内のピンの回転を防止するように構成されている、請求項１に記載のコネクタ。
【請求項６】
前記整合ピンは、前記ピンが前記ベースから取り外されることを防止する、請求項５に記載のコネクタ。
【請求項７】
前記ピンは第１のピンを含み、
前記ロッキングノッチは第１のロッキングノッチを備え、
前記ロッキング機構は、第１のロッキング機構を備え、前記ベースは、前記第１の側と反対側の第２の側を画定し、
前記コネクタは、第２のロッキングノッチを画定するシャフトを有する第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、前記第２のピンが完全閉鎖構成にあるときに、前記第２の側開口部にまたがり、かつ前記第４及び第５の受容チャネルを通って延びる、第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備える、請求項１に記載のコネクタ。
【請求項８】
前記第５の受容部に接続された第３のロッキング機構を更に備え、
前記第２のピンの前記シャフトは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、請求項７に記載のコネクタ。
【請求項９】
前記第４の受容部は、前記第４の受容チャネルに対して実質的に垂直に延びる横方向チャネルを画定し、
前記第２のピンの前記シャフトは、前記シャフトの一部に沿って延びる長手方向スロットを画定し、
前記コネクタは、前記横方向チャネル及び前記長手方向スロット内に受容される整合ピンを更に備え、
前記整合ピンは、前記第４の受容チャネル内の前記第２のピンの回転を防止するように構成されている、請求項７に記載のコネクタ。
【請求項１０】
前記整合ピンは、前記第２のピンが前記ベースから取り外されることを防止する、請求項９に記載のコネクタ。
【請求項１１】
複数の落下抑制デバイスを安全ハーネスに結合するためのコネクタであって、前記コネクタは、
第１のロッキングノッチを有する第１のピンと、
第２のロッキングノッチを有する第２のピンと、
第１の側、及び前記第１の側とは反対側の第２の側とを画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の受容チャネルを画定し、前記第１のピンは、前記複数の第１の側受容部に摺動可能に接続されており、前記第１のピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第１、第２、又は第３の受容部のうちの１つに接続された第１のロッキング機構であって、前記第１のピンが前記閉鎖構成にあるときに、前記第１のピンの前記第１のロッキングノッチと解放可能に係合して、前記第１のピンが前記第１、第２、又は第３の受容チャネルのうちの少なくとも１つを通って摺動して引き抜かれるのを防止するように構成されている第１のロッキング機構と、を備え、
前記ベースの前記第２の側は、
前記ベースから外向きに延び、互いに離間して、前記コネクタを前記安全ハーネスに結合するための第２の側開口部を画定する第４の受容部及び第５の受容部であって、前記第４の受容部は第４の受容チャネルを画定し、前記第５の受容部は第５の受容チャネルを画定し、前記第２のピンは、前記第４及び第５の受容部に摺動可能に接続されており、前記第２のピンが完全閉鎖構成にあるときに、前記第２の側開口部にまたがり、かつ前記第４及び第５の受容チャネルを通って延びる、第４及び第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備える、コネクタ。
【請求項１２】
前記第５の受容部に接続された第３のロッキング機構を更に備え、
前記第２のピンは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、請求項１１に記載のコネクタ。
【請求項１３】
前記第４の受容部は、前記第４の受容チャネルに対して実質的に垂直に延びる横方向チャネルを画定し、
前記第２のピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第４の受容チャネル内の前記第２のピンの回転を防止するように構成されている、請求項１１に記載のコネクタ。
【請求項１４】
前記第１のロッキング機構は、前記第３の受容部に接続されている、請求項１１に記載のコネクタ。
【請求項１５】
前記第１のピンは、前記第１のロッキングノッチとは離れた別個の第３のロッキングノッチを画定し、
前記第１のロッキング機構は、前記第１のピンが部分閉鎖構成にあるときに、前記第１のピンの前記第３のロッキングノッチと解放可能に係合して、第１のピンが前記第３の受容チャネルを通って摺動して引き抜かれることを防止し、前記第１のピンが、前記第１及び第３の受容部によって画定される前記第１の側開口部にまたがるように構成されている、請求項１１に記載のコネクタ。
【請求項１６】
前記複数の第１の側受容部のうちの１つに接続された第３のロッキング機構を更に備える、請求項１１に記載のコネクタ。
【請求項１７】
前記複数の第１の側受容部は、第６の受容チャネルを画定する第６の受容部を備え、
前記第６の受容部は、前記第３の受容部と前記第２の受容部との間に配置されており、
前記第６の受容部は、前記第３のロッキング機構を備える、請求項１６に記載のコネクタ。
【請求項１８】
前記第１の受容部は、前記第１の受容チャネルに対して実質的に垂直に延びる横方向チャネルを画定し、
前記第１のピンは、前記第１のピンのシャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内の前記第１のピンの回転を防止するように構成されている、請求項１１に記載のコネクタ。
【請求項１９】
前記整合ピンは、前記第１のピンが前記ベースから取り外されることを防止する、請求項１１に記載のコネクタ。
【請求項２０】
システムであって、
追加の安全具に接続するための強固点を備える安全ハーネスと、
それぞれが接続点を備える少なくとも１つの落下抑制デバイスと、
コネクタと、を備え、前記コネクタは、
ロッキングノッチを有するピンと、
第１の側を画定するベースと、を有し、
前記ベースの前記第１の側は、
前記ベースから外向きに延び、互いに離間して、前記落下抑制デバイスのうちそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の収容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の収容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備え、
前記少なくとも１つの落下抑制デバイスの接続点は、前記コネクタの前記第１の側にある前記複数の第１の側開口部のうちの１つに受容されており、
前記ピンは、前記完全閉鎖構成にあるときに、前記接続点を前記コネクタに接続して、前記少なくとも１つの落下抑制デバイスが前記コネクタから分離されるのを防止し、
前記安全ハーネスの強固点は、前記コネクタの前記第２の側に解放可能に固定されている、
システム。
【請求項２１】
前記少なくとも１つの落下抑制デバイスは、第１の落下抑制デバイス及び第２の落下抑制デバイスを備え、
前記第１の落下抑制デバイスの前記接続点は、前記第１及び第３の受容部によって画定される前記複数の第１の側開口部の第１の開口部に受容されており、
前記第２の落下抑制デバイスの前記接続点は、前記複数の第１の側開口部の第２の開口部に受容されている、請求項２０に記載のシステム。
【請求項２２】
前記複数の第１の側受容部は、第４の受容チャネルを画定する第４の受容部を備え、
前記第４の受容部は、前記第３の受容部と前記第２の受容部との間に配置されており、
前記複数の第１の側開口部の前記第２の開口部は、前記第２及び第４の受容部によって画定されている、請求項２０に記載のシステム。
【請求項２３】
前記ロッキングノッチは、前記ピンのシャフトに沿って画定された第１のロッキングノッチを備え、
前記ピンの前記シャフトは、前記第１のロッキングノッチとは離れた別個の第２のロッキングノッチを更に画定し、
前記ロッキング機構は、前記第１のピンが部分閉鎖構成にあるときに、前記第１のピンの前記第２のロッキングノッチと解放可能に係合して、前記第１のピンが前記第３の受容チャネルを通って摺動して引き抜かれることを防止し、前記ピンが、前記第１及び第３の受容部によって画定される前記複数の第１の側開口部の第１の開口部にまたがるように構成されている、請求項２０に記載のシステム。
【請求項２４】
前記ロッキング機構は第１のロッキング機構を備え、
前記コネクタは、前記複数の第１の側受容部のうちの１つに接続された第２のロッキング機構を更に備える、請求項２０に記載のシステム。
【請求項２５】
前記第１の受容部は、前記第１の受容チャネルに対して実質的に垂直に延びる横方向チャネルを画定し、
前記ピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内のピンの回転を防止するように構成されている、請求項２０に記載のシステム。
【請求項２６】
前記整合ピンは、前記ピンが前記ベースから取り外されることを防止する、請求項２５に記載のシステム。
【請求項２７】
前記ピンは第１のピンを含み、
前記ロッキングノッチは第１のロッキングノッチを備え、
前記ロッキング機構は第１のロッキング機構を備え、
前記コネクタは、第２のロッキングノッチを画定するシャフトを備える第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、当該第２のピンが完全閉鎖構成にあるとき、前記第２の側開口部にまたがり、かつ前記第４及び第５の受容チャネルを通って延びる、第５の受容部と、
前記第４の受容部に接続された第２のロッキング機構であって、前記第２のピンが、前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備え、
前記安全ハーネスの強固点は、前記コネクタの前記第２の側の前記第２の側開口部に受容されており、前記第２のピンが、前記閉鎖構成にあるときに、前記強固点を前記コネクタに接続して、前記安全ハーネスが前記コネクタから分離されることを防止する、請求項２０に記載のシステム。
【請求項２８】
前記第５の受容部に接続された第３のロッキング機構を更に備え、
前記第２のピンの前記シャフトは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、請求項２７に記載のシステム。
【請求項２９】
前記第４の受容部は、前記第４の受容チャネルに対して実質的に垂直に延びる横方向チャネルを画定し、
前記第２のピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第４の受容チャネル内の前記第２のピンの回転を防止するように構成されている、請求項２７に記載のコネクタ。
【請求項３０】
前記整合ピンは、前記第２のピンが前記ベースから取り外されることを防止する、請求項２９に記載のコネクタ。
【請求項３１】
システムであって、
追加の安全具に接続するための強固点を備える安全ハーネスと、
それぞれが接続点を備える少なくとも１つの落下抑制デバイスと、
コネクタと、を備え、前記コネクタは、
第１のロッキングノッチを有する第１のピンと、
第２のロッキングノッチを有する第２のピンと、
第１の側、及び前記第１の側と反対側の第２の側を画定するベースと、を備え、
前記ベースの前記第１の側は、
前記ベースから外向きに延び、互いに離間して、前記落下抑制デバイスのそれぞれ１つの落下抑制デバイスの１つ以上の接続点を受容するための複数の第１の側開口部を画定する複数の第１の側受容部であって、
第１の収容チャネルを画定する第１の受容部であって、前記第１の側の第１の端部を画定する第１の受容部と、
第２の収容チャネルを画定する第２の受容部であって、前記第１の側の第２の端部を画定する第２の受容部と、
第３の収容チャネルを画定する第３の受容部であって、前記第１のピンは、前記複数の第１の側受容部に摺動可能に接続されており、前記第１のピンが完全閉鎖構成にあるときに、前記複数の第１の側開口部にまたがり、前記第１、第２、及び前記第３の受容チャネルを通って延びる、第３の受容部と、
を備える複数の第１の側受容部と、
前記第１、第２、又は第３の受容部のうちの１つに接続された第１のロッキング機構であって、前記第１のピンが前記閉鎖構成にあるときに、前記第１のピンの前記第１のロッキングノッチと解放可能に係合して、前記第１のピンが前記第１、第２、又は第３の受容チャネルのうちの少なくとも１つを通って摺動して引き抜かれるのを防止するように構成されている第１のロッキング機構と、を有し、
前記ベースの前記第２の側は、
前記ベースから外向きに延び、互いに離間して、前記コネクタを前記安全ハーネスに結合するための第２の側開口部を画定する第４の受容部及び第５の受容部であって、前記第４の受容部は第４の受容チャネルを画定し、前記第５の受容部は第５の受容チャネルを画定し、前記第２のピンは、前記第４及び第５の受容部に摺動可能に接続されており、前記第２のピンが完全閉鎖構成にあるときに、前記第２の側開口部にまたがり、かつ前記第４及び第５の受容チャネルを通って延びる、第４及び第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備え、
前記少なくとも１つの落下抑制デバイスの接続点は、前記コネクタの前記第１の側にある前記複数の第１の側開口部のうちの１つに受容されており、
前記第１のピンは、前記完全閉鎖構成にあるときに、前記接続点を前記コネクタに接続して、前記少なくとも１つの落下抑制デバイスが前記コネクタから分離されるのを防止し、
前記安全ハーネスの強固点は、前記コネクタの前記第２の側にある前記第２の側開口部に受容されており、前記第２のピンが、前記閉鎖構成にあるとき、前記強固点を前記コネクタに接続して、前記安全ハーネスが前記コネクタから分離されることを防止する、システム。
【請求項３２】
前記少なくとも１つの落下抑制デバイスは、第１の落下抑制デバイス及び第２の落下抑制デバイスを備え、
前記第１の落下抑制デバイスの前記接続点は、前記第１及び第３の受容部によって画定される前記複数の第１の側開口部の第１の開口部に受容されており、
前記第２の落下抑制デバイスの前記接続点は、前記複数の第１の側開口部の第２の開口部に受容されている、請求項３１に記載のシステム。
【請求項３３】
前記複数の第１の側受容部は、第６の収容チャネルを画定する第６の受容部を備え、
前記第６の受容部は、前記第３の受容部と前記第２の受容部との間に配置されており、
前記複数の第１の側開口部の前記第２の開口部は、前記第２及び第６の受容部によって画定される、請求項３１に記載のシステム。
【請求項３４】
前記コネクタは、第６の受容部に接続された第３のロッキング機構を更に備える、請求項３３に記載のシステム。
【請求項３５】
前記第１のロッキング機構は、前記第３の受容部に接続されている、請求項３１に記載のシステム。
【請求項３６】
前記第５の受容部に接続された第３のロッキング機構を更に備え、
前記第２のピンは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、請求項３１に記載のシステム。
【請求項３７】
前記第４の受容部は、前記第４の受容チャネルに対して実質的に垂直に延びる横方向チャネルを画定し、
前記第２のピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第４の受容チャネル内の前記第２のピンの回転を防止するように構成されている、請求項３１に記載のシステム。
【請求項３８】
前記第１のピンは、前記第１のロッキングノッチとは離れた別個の第３のロッキングノッチを画定し、
前記第１のロッキング機構は、前記第１のピンが部分閉鎖構成にあるときに、前記第１のピンの前記第３のロッキングノッチと解放可能に係合して、第１のピンが前記第３の受容チャネルを通って摺動して引き抜かれることを防止し、前記ピンが、前記第１及び第３の受容部によって画定される前記複数の第１の側開口部の第１の開口部にまたがるように構成されている、請求項３１に記載のシステム。
【請求項３９】
前記第１の受容部は、前記第１の受容チャネルに対して実質的に垂直に延びる横方向チャネルを画定し、
前記第１のピンは、前記第１のピンのシャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内の前記第１のピンの回転を防止するように構成されている、請求項３１に記載のシステム。
【請求項４０】
前記整合ピンは、前記第１のピンが前記ベースから取り外されることを防止する、請求項３１に記載のシステム。
【請求項４１】
方法であって、
コネクタのピンを完全開放構成に配置することであって、
ここで前記コネクタは、
ロッキングノッチを有するピンと、
第１の側を画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の収容チャネルを画定し、前記第１の側の第２の端部を画定する第２の受容部と、
第３の受容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備え、
前記コネクタの前記ピンが前記完全開放構成にあるとき、前記ピンは、前記第１の受容チャネルにのみ受容され、前記複数の第１の側開口部にはまたがらない、完全開放構成に配置することと、
前記複数の第１の側開口部の第１の開口部内に第１の落下抑制デバイスの第１の接続点を配置することであって、前記第１の開口部は、前記第１の受容部と前記第３の受容部との間の分離距離によって画定されている、第１の接続点を配置することと、
前記ピンを、部分閉鎖構成まで、摺動して前進させることであって、前記ピンが前記第１及び第３の受容チャネルに受容されるようにし、前記ピンは、前記第１及び第３の受容部によって画定される前記複数の第１の側開口部の第１の開口部にまたがり、前記ピンは、前記第１の落下抑制デバイスの前記第１の接続点を捕捉して、第１の落下抑制デバイスが前記コネクタから分離されることを防止する、前進させることと、
前記複数の第１の側開口部の第２の開口部内に第２の落下抑制デバイスの第２の接続点を配置することと、
前記ピンを、完全閉鎖構成まで、摺動して前進させることであって、前記ピンが前記第１、第２、及び第３の受容チャネルに受容されるようにし、前記ピンは、前記複数の第１の側開口部にまたがり、前記ピンは、前記第２の落下抑制デバイスの前記第２の接続点を捕捉して、第２の落下抑制デバイスがコネクタから切り離されるのを防止する、前進させることと、
を含む方法。
【請求項４２】
請求項４１に記載の方法であって、
前記ロッキングノッチは、前記ピンのシャフトに沿って画定された第１のロッキングノッチを含み、
前記ピンの前記シャフトは、前記第１のロッキングノッチとは離れた別個の第２のロッキングノッチを更に画定し、
前記ロッキング機構は、前記部分閉鎖構成にあるとき、前記ピンの前記第２のロッキングノッチと解放可能に係合して、前記ピンが前記第３の受容チャネルを通って摺動して前進又は後退することを防止する、請求項４１に記載の方法。
【請求項４３】
請求項４２に記載の方法であって、
前記ロッキング機構は、第１のロッキング機構を備え、
前記コネクタは、前記複数の第１の側受容部のうちの１つに接続された第２のロッキング機構を更に備え、
前記方法は、
前記第１及び第２のロッキング機構を係合解除することと、
前記第３の受容チャネルから前記ピンを摺動して抜き取って、前記第１及び第２の落下抑制デバイスを前記コネクタ１０から解放することと、を更に含む、方法。
【請求項４４】
請求項４２に記載の方法であって、
前記ピンは第１のピンを含み、
前記ロッキングノッチは第１のロッキングノッチを備え、
前記ロッキング機構は第１のロッキング機構を備え、
前記コネクタは、第２のロッキングノッチを画定するシャフトを備える第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、当該第２のピンが完全閉鎖構成にあるとき、前記第２の側開口部にまたがり、かつ前記第４及び第５の収容チャネルを通って延びる、第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して前進又は後退するのを防止するように構成されている第２のロッキング機構と、
を備え、
前記方法は、
前記第２のピンを完全開放構成に配置することであって、前記第２のピンが、前記第４の受容チャネルのみに受容され、前記第２の側開口部にまたがらないようにする、ことと、
前記第２の側開口部内に安全ハーネスの強固点を配置することと、
前記第２のピンを、前記強固点の下で完全閉鎖構成まで、摺動して前進させ、前記第２のピンが前記第４及び第５の受容チャネルに受容されるようにし、前記第２のピンは、前記第２の側開口部にまたがり、前記安全ハーネスの前記強固点を捕捉し、前記安全ハーネスが前記コネクタから分離されることを防止する、ことと、
を含む、方法。
【請求項４５】
請求項４４に記載の方法であって、
前記第５の受容部に接続された第３のロッキング機構を更に備え、
前記第２のピンの前記シャフトは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して前進又は後退するのを防止するように構成されており、
前記方法は、
前記第２及び第３のロッキング機構を係合解除することと、
前記第５の受容チャネルから前記第２のピンを摺動して引き抜いて、コネクタ１０から安全ハーネスを解放することと、を更に含む、方法。
【発明の詳細な説明】
【技術分野】
【０００１】
本開示は、安全具、特に、落下防止システム及びデバイスに関する。
【背景技術】
【０００２】
落下防止システム及びデバイスは、潜在的に有害であるか又は生命にさえ係わる高所で作業する作業者にとって、重要な安全具である。例えば、落下時の安全確保を支援するために、作業員は、ランヤード、減勢器、自己巻き取り式命綱（self−retracting lifeline、ＳＲＬ）、直立コンベヤ等の落下保護具を有する支持構造体に接続された安全ハーネスを装着することが多い。作業者が支持構造体に接続されている場合、作業者は「拘束されている（tied off）」と呼ばれることがある。高所で作業するときに安全な作業条件を維持するために、作業者は常に支持構造体に対して少なくとも１つの接続点を維持することができる。大抵の場合、作業者は、二重の安全性を提供するために、支持構造体への２つの接続点を使用して、接続点の少なくとも１つが支持構造体に常に接続されたままになるように確保することができる。
【０００３】
落下防止システムは、作業者を支持構造体（定着部とも呼ばれる）に接続するためのさまざまな構成要素を含んでもよい。例えば、スナップフック、カラビナ、及びクイックリンクは、作業者の安全ハーネスを支持構造体及び他の落下抑制デバイスに接続することを可能にする可動ゲートを有してもよい。
【発明の概要】
【０００４】
一般に、本開示は、危険な高さで作業するときに作業者の落下を抑制するように設計された落下防止システムと共に使用するためのコネクタについて説明する。コネクタを使用して、１つ以上の落下抑制デバイスをユーザの安全ハーネスに連結することができる。いくつかの実施例では、本明細書に記載されるコネクタは、１つ以上のロッキング機構を使用してベースの第１の側でロッキングするように構成された第１のピンを含んでもよい。第１のピンを使用して、１つ以上の落下抑制デバイスと係合して、１つ以上の落下抑制デバイスをコネクタに取り付けることができる。いくつかのかかる実施例では、以下に詳述するように、ロッキング機構は、１つ以上の落下抑制デバイスがコネクタの端部を中心に自由に枢動することができるように、コネクタの第１の側の内側部内に配置されてもよい。
【０００５】
追加的に又は代替的に、本明細書に記載されるコネクタは、１つ以上のロッキング機構を使用して、ベースの第２の側にロッキングするように構成された第２のピンを含んでもよい。第２のピンを使用して、コネクタを作業者の安全ハーネスに便利かつ取り外し可能に取り付けることができる。
【０００６】
一実施例では、本開示は、落下抑制デバイスを安全ハーネスに結合するためのコネクタを説明し、このコネクタは、ロッキングノッチを有するピンと、第１の側を画定するベースと、を含む。ベース部の第１の側は、ベースから外向きに延び、互いに離間して、複数の落下抑制デバイスのうちのそれぞれ１つの落下抑制デバイスの１つ以上の接続点を受容するための複数の第１の側開口部を画定する複数の第１の側受容部を含む。複数の第１の側受容部は、第１の受容チャネルを画定し、第１の側の第１の端部を画定する第１の受容部と、第２の受容チャネルを画定し、第１の側の第２の端部を画定する第２の受容部と、第３の受容チャネルを画定し、第１の受容部と第２の受容部との間に配置されている第３の受容部と、を含む。ピンは、複数の第１の側受容部に摺動可能に接続されており、ピンが完全閉鎖構成にあるときに、複数の第１の側開口部にまたがり、かつ第１、第２、及び第３の受容チャネルを通って延びる。ベースの第１の側は、第３の受容部に接続されたロッキング機構を更に含み、ロッキング機構は、ピンが完全閉鎖構成にあるときに、ピンのロッキングノッチと解放可能に係合して、ピンが第３の受容チャネルを通って摺動して引き抜かれるのを防止するように構成される。
【０００７】
一実施例では、本開示は、落下抑制デバイスを安全ハーネスに結合するためのコネクタを説明し、コネクタは、第１のロッキングノッチを有する第１のピンと、第２のロッキングノッチを有する第２のピンと、第１の側、及び第１の側とは反対側の第２の側とを画定するベースと、を含む。ベース部の第１の側は、ベースから外向きに延び、互いに離間して、落下抑制デバイスのうちのそれぞれ１つの落下抑制デバイスの１つ以上の接続点を受容するための複数の第１の側開口部を画定する複数の第１の側受容部を含む。複数の第１の側受容部は、第１の受容チャネルを画定し、第１の側の第１の端部を画定する第１の受容部と、第２の受容チャネルを画定し、第１の側の第２の端部を画定する第２の受容部と、第３の受容チャネルを画定する第３の受容部と、を含み、第１のピンは、複数の第１の側受容部に摺動可能に接続され、第１のピンが完全閉鎖構成にあるときに、複数の第１の側開口部にまたがり、第１、第２、及び第３の受容チャネルを通って延びる。ベース部の第１の側は、第１、第２、又は第３の受容部のうちの１つに接続された第１のロッキング機構を含み、第１のロッキング機構は、第１のピンが閉鎖構成にあるときに、第１のピンの第１のロッキングノッチと解放可能に係合して、第１のピンが第１、第２、又は第３の受容チャネルのうちの少なくとも１つを通って摺動して引き抜かれるのを防止するように構成される。ベースの第２の側は、ベースから外向きに延び、互いに離間して、コネクタを安全ハーネスに結合するための第２の側開口部を画定する、第４の受容部及び第５の受容部を含み、第４の受容部は第４の受容チャネルを画定し、第５の受容部は第５の受容チャネルを画定し、第２のピンは、第４及び第５の受容部に摺動可能に接続されており、第２のピンが完全閉鎖構成にあるときに、第２の側開口部にまたがり、かつ第４及び第５の受容チャネルを通って延びる。ベースの第２の側はまた、第４の受容部に接続された第２のロッキング機構を更に含み、第２のロッキング機構は、第２のピンが完全閉鎖構成にあるときに、第２のピンの第２のロッキングノッチと解放可能に係合するように構成され、第２のピンが第４の受容チャネルを通って摺動して引き抜かれるのを防止するように構成されている。
【０００８】
一実施例では、本開示は、安全ハーネスを追加の安全具に接続するための強固点を含む安全ハーネスと、それぞれが接続点を含む少なくとも１つの落下抑制デバイスと、ロッキングノッチを有するピンと第１の側を画定するベースとを含むコネクタと、を含むシステムを説明する。ベース部の第１の側は、ベースから外向きに延び、互いに離間して、落下抑制デバイスのうちのそれぞれ１つの落下抑制デバイスの１つ以上の接続点を受容するための複数の第１の側開口部を画定する複数の第１の側受容部を含む。複数の第１の側受容部は、第１の受容チャネルを画定し、第１の側の第１の端部を画定する第１の受容部と、第２の受容チャネルを画定し、第１の側の第２の端部を画定する第２の受容部と、第３の受容チャネルを画定し、第１の受容部と第２の受容部との間に配置される第３の受容部と、を含む。ピンは、複数の第１の側受容部に摺動可能に接続されており、ピンが完全閉鎖構成にあるときに、複数の第１の側開口部にまたがり、かつ第１、第２、及び第３の受容チャネルを通って延びる。ベースの第１の側は、第３の受容部に接続されたロッキング機構を更に含み、ロッキング機構は、ピンが完全閉鎖構成にあるときに、ピンのロッキングノッチと解放可能に係合して、ピンが第３の受容チャネルを通って摺動して引き抜かれるのを防止するように構成されている。少なくとも１つの落下抑制デバイスの接続点は、コネクタの第１の側にある複数の第１の側開口部のうちの１つに受容される。ピンは、完全閉鎖構成にあるときに、接続点をコネクタに接続して、少なくとも１つの落下抑制デバイスがコネクタから分離されるのを防止し、安全ハーネスの強固点は、コネクタの第２の側に解放可能に固定されている。
【０００９】
一実施例では、本開示は、追加の安全具に接続するための強固点を有する安全ハーネスと、それぞれが接続点を有する少なくとも１つの落下抑制デバイスと、コネクタと、を備えるシステムを説明する。コネクタは、第１のロッキングノッチを有する第１のピンと、第２のロッキングノッチを有する第２のピンと、第１の側、及び第１の側と反対側の第２の側とを画定するベースと、を含む。ベース部の第１の側は、ベースから外向きに延び、互いに離間して、落下抑制デバイスのそれぞれ１つの落下抑制デバイスの１つ以上の接続点を受容するための複数の第１の側開口部を画定する複数の第１の側受容部を含む。複数の第１の側受容部は、第１の受容チャネルを画定し、第１の側の第１の端部を画定する第１の受容部と、第２の受容チャネルを画定し、第１の側の第２の端部を画定する第２の受容部と、第３の受容チャネルを画定する第３の受容部と、を含み、第１のピンは、複数の第１の側受容部に摺動可能に接続されており、第１のピンが完全閉鎖構成にあるときに、複数の第１の側開口部にまたがり、第１、第２、及び第３の受容チャネルを通って延びる。ベース部の第１の側は、第１、第２、又は第３の受容部のうちの１つに接続された第１のロッキング機構を含み、第１のロッキング機構は、第１のピンが閉鎖構成にあるときに、第１のピンの第１のロッキングノッチと解放可能に係合して、第１のピンが第１、第２、又は第３の受容チャネルのうちの少なくとも１つを通って摺動して引き抜かれるのを防止するように構成されている。ベースの第２の側は、ベースから外向きに延び、互いに離間して、コネクタを安全ハーネスに結合するための第２の側開口部を画定する、第４の受容部及び第５の受容部を含み、第４の受容部が第４の受容チャネルを画定し、第５の受容部が第５の受容チャネルを画定し、第２のピンは、第４及び第５の受容部に摺動可能に接続されており、第２のピンが完全閉鎖構成にあるときに、第２の側開口部にまたがり、かつ第４及び第５の受容チャネルを通って延びる。ベースの第２の側はまた、第４の受容部に接続された第２のロッキング機構を更に含み、第２のロッキング機構は、第２のピンが完全閉鎖構成にあるときに、第２のピンの第２のロッキングノッチと解放可能に係合するように構成され、第２のピンが第４の受容チャネルを通って摺動して引き抜かれるのを防止するように構成されている。少なくとも１つの落下抑制デバイスの接続点は、コネクタの第１の側にある複数の第１の側開口部のうちの１つに受容される。第１のピンは、完全閉鎖構成にあるときに、接続点をコネクタに接続して、少なくとも１つの落下抑制デバイスがコネクタから分離されるのを防止する。安全ハーネスの強固点は、コネクタの第２の側にある第２の側開口部に受容されており、第２のピンが、閉鎖構成にあるとき、強固点をコネクタに接続して、安全ハーネスがコネクタから分離されることを防止する。
【００１０】
一実施例では、本開示は、請求項１に記載のコネクタのピンを完全開放構成に配置することを含む方法を記載する。コネクタは、ロッキングノッチを有するピンと、第１の側を画定するベースと、を含む。ベース部の第１の側は、ベースから外向きに延び、互いに離間して、落下抑制デバイスのうちのそれぞれ１つの落下抑制デバイスの１つ以上の接続点を受容するための複数の第１の側開口部を画定する複数の第１の側受容部を含む。複数の第１の側受容部は、第１の受容チャネルを画定し、第１の側の第１の端部を画定する第１の受容部と、第２の受容チャネルを画定し、第１の側の第２の端部を画定する第２の受容部と、第３の受容チャネルを画定し、第１の受容部と第２の受容部との間に配置されている第３の受容部と、を含む。ピンは、複数の第１の側受容部に摺動可能に接続されており、ピンが完全閉鎖構成にあるときに、複数の第１の側開口部にまたがり、かつ第１、第２、及び第３の受容チャネルを通って延びる。ベースの第１の側は、第３の受容部に接続されたロッキング機構を更に含み、ロッキング機構は、ピンが完全閉鎖構成にあるときに、ピンのロッキングノッチと解放可能に係合して、ピンが第３の受容チャネルを通って摺動して引き抜かれるのを防止するように構成されている。ピンが完全開放構成にあるとき、ピンは、第１の受容チャネルのみに受容されるようにし、複数の第１の側開口部にまたがらない。本方法はまた、複数の第１の側開口部の第１の開口部内に第１の落下抑制デバイスの第１の接続点を配置することであって、第１の開口部は、第１の受容部と第３の受容部との間の分離距離によって画定されることと、ピンを、部分閉鎖構成まで、摺動して前進させることであって、ピンは、第１及び第３の受容チャネルに受容され、第１及び第３の受容部によって画定される複数の第１の側開口部の第１の開口部にまたがり、ピンは、第１の落下抑制デバイスの第１の接続点を捕捉して、第１の落下抑制デバイスがコネクタから分離されることを防止することと、複数の第１の側開口部の第２の開口部内に第２の落下抑制デバイスの第２の接続点を配置することと、ピンを、完全閉鎖構成まで、摺動して前進させることであって、ピンが、第１、第２、及び第３の受容チャネルに受容されるようにし、ピンは、複数の第１の側開口部にまたがり、ピンは、第２の落下抑制デバイスの第２の接続点を捕捉して、第２の落下抑制デバイスがコネクタから切り離されるのを防止することと、を含む。
【００１１】
本開示の１つ以上の実施例の詳細は、添付の図面及び以下の説明で述べる。本開示の他の特徴、目的、及び利点は、説明及び図面並びに特許請求の範囲から明らかになるであろう。
【図面の簡単な説明】
【００１２】
【図１】完全閉鎖構成にある、本明細書に記載の例示的なコネクタの斜視図である。
【図２】完全開放構成にある、図１の例示的なコネクタの斜視図である。
【図３】部分閉鎖構成にある、図１の例示的なコネクタの斜視図である。
【図４】図１の例示的なコネクタの斜視展開図である。
【図５Ａ】ロッキング機構がロッキング状態にある、線Ａ−Ａに沿った図１の例示的なコネクタの断面図である。
【図５Ｂ】ロッキング機構がロッキング解除状態にある、線Ａ−Ａに沿った図１の例示的なコネクタの断面図である。
【図６Ａ】図１の例示的なコネクタの第１のピンの斜視図である。
【図６Ｂ】図１の例示的なコネクタの第１のピンの斜視図である。
【図６Ｃ】図１の例示的なコネクタの第１のピンの斜視図である。
【図７Ａ】図１の例示的なコネクタの第２のピンの斜視図である。
【図７Ｂ】図１の例示的なコネクタの第２のピンの斜視図である。
【図７Ｃ】図１の例示的なコネクタの第２のピンの斜視図である。
【図８】第１の落下抑制デバイスを安全ハーネスに連結する図１の例示的なコネクタを含む、例示的な落下防止システムの正面図である。
【図９】第１及び第２の落下抑制デバイスを安全ハーネスに連結する図１の例示的なコネクタを含む、例示的な落下防止システムの正面図である。
【図１０】図１の例示的なコネクタを使用して、２つ以上の落下抑制デバイスを安全ハーネスに取り付けるための例示的な手法を示すフローチャートである。
【図１１】図１の例示的なコネクタを使用して、２つ以上の落下抑制デバイスを安全ハーネスに取り付けるための例示的な手法を示すフローチャートである。
【発明を実施するための形態】
【００１３】
本開示は、落下防止具と共に使用するためのコネクタ、及び危険な高さで作業する個々のユーザの落下を防止するために使用され得る様々なタイプの落下防止システムについて記載する。落下防止具は、一般に、落下の場合にユーザを支持構造体に固定する目的で、ユーザ（例えば、作業者）を支持構造体に接続するために使用される器具を指すことができる。落下防止具の例としては、さまざまなカラビナ（「ばねフック」又は「スナップフック」とも呼ばれる）、シャックル、キャリアスリーブ、自己巻き取り式命綱などの安全ハーネス、又はユーザを支持構造体に着脱することができる他のデバイスが挙げられる。支持構造体としては、アンカー又は落下時にユーザの体重を支えることができる別の構造体を挙げることができる。いくつかの実施例では、器具の各種部品を、１つ以上のコネクタを使用して一緒に連結してもよい。例えば、ＳＲＬなどの１つ以上の落下抑制デバイスは、落下抑制デバイスを作業者の安全ハーネスの強固点に固定するように構成されたコネクタを使用して、該安全ハーネスに接続されてもよい。ユーザの安全を確保するため、コネクタは、信頼性が高く、落下の力に耐え得るものでなければならない。更に、適切な取り付けを確保するため、コネクタは、設置し易く、適切な組み付けを確認するようにユーザフレンドリーであるべきである。
【００１４】
図１〜７は、安全ハーネスをＳＲＬなどの１つ以上の落下抑制デバイスに接続するために使用され得る例示的なコネクタ１０の様々な図を提供する。特に、図１〜４は、ベース１２と、第１のピン１８と、第２のピン２０と、を含む例示的なコネクタ１０の斜視図である。図５Ａ及び図５Ｂは、説明されるロッキング機構の様々な特徴を示す、図１の線Ａ−Ａに沿った断面図である。図６Ａ〜図６Ｃは第１のピン１８の斜視図であり、図７Ａ〜７Ｃは第２のピン１８の斜視図である。
【００１５】
本明細書で使用するとき、第１、第２、又は第３要素などの表記は、１つの要素を別の要素と単に区別するために使用される。それらの用語は、定量的な意味で使用される、存在する要素の総数を意味若しくは制限するために使用される、又は記載されたデバイスの番号付き要素の特定の順序を意味するために使用される。
【００１６】
図１〜４に示される例では、コネクタ１０は、頑丈で信頼性の高いコネクタフレームを提供するベース１２を含む。図１に示されるように、ベース１２は、コネクタ１０の第１の側１４及び第２の側１６を画定する。ベース１２の第１の側１４は、落下抑制デバイス対面側であり、第１の側１４から延び、互いに離間して複数の第１の側開口部２８Ａ〜２８Ｃを画定するブラケットとして形成された、複数の第１の側受容部２２Ａ〜２２Ｄを含む。複数の第１の側開口部２８Ａ〜２８Ｃはそれぞれ、ＳＲＬなどの１つ以上の落下抑制デバイスを受容するように構成されてもよい。ベース１２の第２の側１６は、ハーネス対面側であり、第２の側１６から延び、互いに離間して、安全ハーネスに結合するための第２の側開口部３２（図２でラベル付けされる）を画定するブラケットとして形成された、複数の第２の側受容部３０Ａ及び３０Ｂを含む。実施例では、コネクタ１０は、第１のピン１８が摺動可能かつ動作可能に複数の第１の側受容部２２Ａ〜２２Ｄに接続され、第２のピン２０が第１のピン１８とは独立して、摺動可能かつ動作可能に第２の側受容部３０Ａ及び３０Ｂに接続される２ピン機構を提供する。しかしながら、他の実施例では、コネクタ１０は、第１のピン１８のみを含み、ベース１２の第２の側１６の一部を利用して、コネクタ１０を安全ハーネスに取り付けることができる。
【００１７】
図１〜４に示されるように、第１のピン１８は、第１の側受容部２２Ａ〜２２Ｄによって形成されたチャネルを横断することによって、第１の側開口部２８Ａ〜２８Ｃを動作可能に開閉するように構成されている。例えば、第１の側受容部２２Ａ〜２２Ｄは、ベース１２から外向きに延び、互いに離間して、複数の第１の側開口部２８Ａ〜２８Ｃを画定してもよい。複数の第１の側受容部２２Ａ〜２２Ｄは、第１の受容チャネル２４Ａを画定する第１の受容部２２Ａと、第２の受容チャネル２４Ｂを画定する第２の受容部２２Ｂと、を含んでもよい。ピン１８と係合するために、第１の受容部２２Ａは第１の側１４の第１の端部２６Ａを画定し、第２の受容部２２Ｂは第１の側１４の第２の端部２６Ｂを画定する。複数の第１の側受容部２２Ａ〜２２Ｄは、第１の側１４の第１及び第２の端部２６Ａ及び２６Ｂを形成する第１及び第２の受容部２２Ａと２２Ｂの間に配置された、少なくとも１つの内側受容部（例えば、第３の受容部２２Ｃ及び第４の受容部２２Ｄのうちの少なくとも１つ）を更に含む。
【００１８】
図１〜４に示される実施例では、複数の第１の側受容部２２Ａ〜２２Ｄは、第１及び第２の受容部２２Ａと２２Ｂの間にそれぞれ配置された、第３及び第４の受容部２２Ｃ及び２２Ｄを含む。しかしながら、他の実施例では、コネクタ１０は、１つのみの内側受容部（例えば、第３の受容部２２Ａ）を含んでもよい、又は、第１の側開口部２８Ａ〜２８Ｃがどのように所望されるか、若しくは落下抑制デバイスがどのように第１の側１４に接続されることを意図されているかに応じて、２つ以上の内側受容部を含んでもよい。第３の受容部２２Ｃは、第３の受容チャネル２４Ｃを画定し、及び第４の受容部２２Ｄは、第４の受容チャネル２４Ｄを画定する。
【００１９】
第１の側１４はまた、ピンが完全閉鎖構成（例えば、図１の構成）にあるときに、第１のピン１８と解放可能に係合するように構成された１つ以上のロッキング機構３４Ａ及び３４Ｂを含んでもよく、これによって、第１のピン１８が、受容チャネル２４Ａ〜２４Ｄのうちの１つ以上を通って摺動して引き抜かれる（例えば、完全開放構成に向かって移行する）のを防止する。例えば、図１〜４に示されるように、第１の側１４は、第３及び第４の受容部２２Ｃ及び２２Ｄにそれぞれ接続された第１及び第２のロッキング機構３４Ａ及び３４Ｂを含む。他の実施例では、第１の側１４は、１つのロッキング機構のみを含んでもよく、又は第１及び第２のロッキング機構３４Ａ及び３４Ｂが、第１及び第２の受容部２２Ａ及び２２Ｂに接続されるように構成されてもよい。
【００２０】
いくつかの実施例では、第１及び第２のロッキング機構３４Ａ及び３４Ｂは、第１のピン１８によって画定された１つ以上のロッキングノッチ３６Ａ及び３６Ｂと相互作用する押しボタン式解放機構を含んでもよい。例えば、第１及び第２のロッキング機構３４Ａ及び３４Ｂはそれぞれ、対応する第３又は第４の受容チャネル２４Ｃ又は２４Ｄに垂直に延びる実質的に円筒形のロッキングチャネル３８を含んでもよく、ロッキングチャネル３８は、対応する受容チャネル２４Ｃ又は２４Ｄと流体連通している。ロッキングチャネル３８はそれぞれ、ロッキングチャネル３８の直径が減少する狭窄部３９を一方の端部に含んでもよい。
【００２１】
第１及び第２のロッキング機構３４Ａ及び３４Ｂのそれぞれは、付勢部材４０（例えば、ばね）、係合部材４２、及びリベット４４を有して、ロッキング機構を形成することができる。リベット４４は、ヘッド４８と反対側の変形可能端部５０とを有するシャフト４６を含む。係合部材４２は、第１のフランジ部５４と第２のフランジ部５６を対向端部で接続する管部５２を含む。チャネル５８は、リベット４４のシャフト４６を受容する係合部材４２を通って延びる。付勢部材４０は、付勢部材４０と係合部材４２の両方がロッキングチャネル３８内に受容されたときに、ロッキングチャネル３８内の第２のフランジ部５６及び狭窄部３９と接触し係合するように構成されている。
【００２２】
完全に組み立てられると、リベット４４は、係合部材４２のチャネル５８、付勢部材４０の中心、及びロッキングチャネル３８の狭窄部３９を通って延びる。次いで、リベット４４の変形可能端部５０は変形して、狭窄部３９を通って引き抜かれることが防止される。リベット４４のヘッド４８及び変形可能端部５０は、それによって係合部材４２及び付勢部材４０をロッキングチャネル３８内に捕捉及び保持する。
【００２３】
使用中、非圧縮状態又はロッキング状態にある間、係合部材４２の第２のフランジ部５６は、ロッキング機構が接続される受容チャネル内に突出する。例えば、図５Ａ及び５Ｂは、図１の線Ａ−Ａに沿った断面図である。図５Ａは、非圧縮状態又はロッキング状態にある、第３の受容部２２Ｃ内の第１のロッキング機構３４Ａを示す。図５Ａに示されるように、ロッキング位置にある間、第２のフランジ部５６の一部は、第３の受容チャネル２４Ｃ内に延びる。第３の受容チャネル２４Ｃは、第１ピン１８のシャフト６０を受容するようにサイズ決めされているが、第２のフランジ部５６の第３の受容チャネル２４Ｃへの貫入は、第３の受容チャネル２４Ｃの孔サイズを効果的に低減し、第１のピン１８のシャフト６０が第３の受容チャネル２４Ｃを通って摺動して引き抜かれることを防止する。
【００２４】
第１のピン１８は、シャフト６０に沿って形成された１つ以上のロッキングノッチ３６Ａ及び３６Ｂを含む。ロッキングノッチ３６Ａ及び３６Ｂは、それぞれのノッチ（例えば、第２のロッキングノッチ３６Ｂ）が、第３の受容チャネル２４Ｃに導入されるときに、ロッキングノッチ３６Ｂが、係合部材４２の第２のフランジ部５６を受容することができるように寸法決めされてもよい。図５Ａに示されるように、ロッキングノッチ３６Ｂが、第１のロッキング機構３４Ａと適切に整合されると、係合部材４２のフランジ部５６は、第３の受容チャネル２４Ｃ内に突出する第２のフランジ部５６が、ロッキングノッチ３６に受容されるロッキング位置にとどまる。ロッキング機構３４Ａが、ロッキング位置にある状態では、第２のフランジ部５６が、第３の受容チャネル２４Ｃ内の第１のピン１８の軸方向移動を妨げる。
【００２５】
第１のピン１８のシャフト６０を第３の受容チャネル２４Ｃを通して摺動して引き抜くために、リベットのヘッド４８を押圧して付勢部材４０を圧縮させ、係合部材４２をロッキングチャネル３８内で狭窄部３９に向かって摺動させる。係合部材４２が狭窄部５０に向かって前進すると、管部５２が第３の受容チャネル２４Ｃと整合されることによって、係合部材４２からの障害物が第３の受容チャネル２４Ｃから取り除かれる。この位置は、圧縮位置又はロッキング解除位置と見なされてもよく、図５Ｂの第１のロッキング機構３４Ａに関して示されている。第２のフランジ部５６が、第３の受容チャネル２４Ｃ内に、もはや突出していない状態では、第２のロッキング機構３４Ｂが、ロッキング構成にないことを条件として、第１のピン１８のシャフト６０は、自由に摺動して前進させることができる（例えば、完全閉鎖構成に向かって移行させる）、又は第３の受容チャネル２４Ｃを通して引き抜くことができる。
【００２６】
いくつかの実施例では、第１のピン１８は、１つ以上の傾斜部６３Ａ及び６３Ｂを含んでもよい。図５Ｂに示されるように、第１の傾斜部６３Ａは、シャフト６０の前端から第１のロッキングノッチ３６Ａまで延び、第２の傾斜部６３Ｂは、第１のロッキングノッチ３６Ａから第２のロッキングノッチ３６Ｂまで延びる。第１及び第２の傾斜部６３Ａ及び６３Ｂにより、第１のピン１８は、まず第１のロッキング機構３４Ａ及び第２のロッキング機構３４Ｂのロッキングを解除してから、第１又は第２の受容チャネル２４Ａ及び２４Ｂ内で前進させる必要なく、第１のロッキング機構３４Ａ及び第２のロッキング機構３４Ｂを越えて前進させることができる。例えば、第１の傾斜部６３Ａは、最初に第１のロッキング機構３４Ａの係合部材４２に接触して押圧することで、第１のロッキングノッチ３６Ａが係合部材４２と整合され係合するまで、第１のピン１８を第３の受容チャネル２４Ｃを通って前進させることができ、この係合地点で、係合部材４２は、第１のロッキングノッチ３６Ａ内に着座し、第１のピンが第３の受容チャネル２４Ｃから引き抜かれるのを防止する。前進力（例えば、完全閉鎖構成に向かって）が、第１のピン１８に印加される場合、第２の傾斜部６３Ｂが、第１のロッキング機構３４Ａの係合部材４２を押し下げ、第１の傾斜部６３Ａも同様に、第２のロッキング機構３４Ｂの係合部材４２と相互作用して、第１のピン１８を第３及び第４の受容チャネル２４Ｃ及び２４Ｄの両方を通って完全閉鎖構成に向かって前進させることができる。
【００２７】
いくつかの実施例では、第１のピン１８が、第３の受容チャネル２４Ｃを通って前進する際に、係合部材４２に対する第１のピン１８の１つ以上のロッキングノッチ３６Ａ及び３６Ｂの適切な整合を支援するために、コネクタ１０は、第１のピン１８のシャフト６０の一部に沿って延びる長手方向スロット６４と係合するように構成された整合ピン６２を含み得る。例えば、第１の受容部２２Ａは、第１の受容チャネル２４Ａと実質的に垂直に整合し延びる横方向チャネル６６を画定し得る。長手方向スロット６４が、横方向チャネル６６と整合するまで、第１のピン１８を第１の受容チャネル２４Ａを通って前進させることができる。次いで、整合ピン６２を横方向チャネル６６及び長手方向スロット６４に挿入することにより、第１のピン１８が、第１の受容チャネル２４Ａ内で回転するのを防止することができる。第１のピン１８が、回転するのを防止することによって、ロッキングノッチ３６Ａ及び３６Ｂは、第１のピン１８が複数の第１の側受容チャネル２４Ａ〜２４Ｄを通って前進する際に、関連付けられるロッキング機構３４Ａ及び３４Ｂと適切に整合するように確保される。
【００２８】
加えて、いくつかの実施例では、整合ピン６２はまた、いったん装着された後に第１のピン１８が、ベース１２から完全に外れるのを防止するための保持ピンとして機能してもよい。コネクタ１０の完全又は部分脱離を防止することは、第１のピン１８若しくは第２のピン２０の不注意による損失、又は第１及び第２のピン１８及び２０の不注意による切り替えを防止するのに役立ち得る。いくつかの実施例では、整合ピン６２は、いったん第１のピン１８が組み付けられたら、第１の受容部２２Ａ内に固定されてもよい。好適な固定技術としては、溶接、接着、圧着などが挙げられるが、これらに限定されない。
【００２９】
いくつかの実施例では、少なくとも２つのロッキング機構３４Ａ〜３４Ｄが、ベース１２の各側１４及び１６に含まれる。例えば、第１の側１４は、第１及び第２のロッキング機構３４Ａ及び３４Ｂを含み、第２の側１６は、第３のロッキング機構３４Ｃ及び第４のロッキング機構３４Ｄを含む。各ロッキング機構３４Ａ〜３４Ｄは、他のロッキング機構とは独立して動作し、第１のピン１８又は第２のピン２０上の対応するロッキングノッチ３６Ａ及び３６Ｂ、又は７２Ａ及び７２Ｂと相互作用するように構成されてもよい。したがって、図１を一例として使用すると、第１のピン１８が、完全閉鎖構成に前進すると、第１及び第２のロッキング機構３４Ａ及び３４Ｂの両方が、第１のピン１８の軸方向移動を阻止する。この二重ロッキング機構では、ユーザが、第１のピン１８を移動させるために、第１のロッキング機構３４Ａ及び第２のロッキング機構３４Ｂの両方のそれぞれのリベット４４のヘッド４８を独立して押す必要がある。側１４及び１６のそれぞれに少なくとも２つのロッキング機構３４Ａ〜３４Ｄを含むことにより、コネクタ１０は、二重の安全機構を提供し、使用中に任意の個々のロッキング機構３４Ａ〜３４Ｄが不注意によりロッキング解除される、又は損傷する場合に、コネクタ１０の故意でない偶発的なロッキング解除が防止される。
【００３０】
いくつかの実施例では、第１及び第２のロッキング機構３４Ａ及び３４Ｂは、第１の側１４の第１及び第２の端部２６Ａ及び２６Ｂを形成する第１及び第２の受容部２２Ａ及び２２Ｂとは異なり、内側受容部２２Ｃ及び２２Ｄのうちの１つ以上に接続されてもよい。以下で更に説明するように、内側受容部２２Ｃ及び２２Ｄ内に第１及び第２のロッキング機構３４Ａ及び３４Ｂを形成することにより、落下抑制デバイスがコネクタ１０に取り付けられたときに、コネクタ１０のより広い動作範囲が可能になる。例えば、第３及び第４の受容部２２Ｃ及び２２Ｄに対する、第１及び第２のロッキング機構３４Ａ及び３４Ｂの相対的サイズ及び配置は、ロッキング機構が適切に機能し、落下の衝撃に耐えるのに十分な構造的一体性を維持するために、受容部の方をやや大きくする又は嵩高にすることができる。第１の側の外側受容部２２Ａ及び２２Ｂ内にロッキング機構を組み込むことによって、ロッキング機構に関連する体積により、ＳＲＬなどの取り付けられた落下抑制デバイスが、第１の側１４の第１及び第２の端部２６Ａ及び２６Ｂを中心に枢動するのを阻止することができる。落下保護システムの使用中、コネクタ１０に対するＳＲＬの可動性が低減されると、命綱の延長又は後退に関連する、よじれや抵抗の増加が生じ得る。内側受容部２２Ｃ及び２２Ｄ内に、第１及び第２のロッキング機構３４Ａ及び３４Ｂを組み込むことにより、第１及び第２の受容部２２Ａ及び２２Ｂのサイズは、比較的薄く、あまり嵩高くないため、ＳＲＬの接続点は、第１及び第２の受容部２２Ａ及び２２Ｂによって主に画定される、第１及び第２の端部２６Ａ及び２６Ｂを中心に自由に枢動することができる。ＳＲＬの枢動を可能にすることにより、ＳＲＬのねじれ、又はその他の原因による抵抗力の増加の可能性が低減される。
【００３１】
図１〜４に示されるように、第２のピン２０は、第２の側受容部３０Ａ及び３０Ｂによって形成されたチャネルを横断するように構成されることによって、第２の側開口部３２を動作可能に開閉する。第２の側１６は、コネクタ１０を安全ハーネスに結合するために、ベース１２から外向きに延び、互いに離間して、第２の側開口部３２を画定する、第５の受容部３０Ａと第６の受容部３０Ｂとを有する一対の受容部を含む。第５及び第６の受容部３０Ａ及び３０Ｂはそれぞれ、第２のピン２０のシャフト７０の一部を受容するように構成されたそれぞれの受容チャネル６８Ａ及び６８Ｂを画定する。第２のピン２０の第１のピン１８のシャフト７０と同様に、受容部３０Ａ及び３０Ｂのいずれかに接続された１つ以上のロッキング機構３４Ｃ及び３４Ｄと、相互作用するように構成された少なくとも１つのロッキングノッチ７２Ａ及び７２Ｂを画定することができる。第２のピン２０は、完全開放構成（例えば、図２の構成）から完全閉鎖構成（例えば、図１の構成）まで摺動して移行することができ、完全閉鎖構成では、第２のピン２０は、第５及び第６の受容部３０Ａ及び３０Ｂによって画定される第２の開口部３２にまたがる。
【００３２】
図７Ａ及び７Ｂに示されるように、シャフト７０は、ロッキング機構３４Ｄ及び３４Ｃとそれぞれ係合するように構成された２つのロッキングノッチ７２Ａ及び７２Ｂを含んでもよい。ロッキング機構３４Ｃ及び３４Ｄの動作は、上記の第１のロッキング機構３４Ａの動作とほぼ同様であり得る。いくつかの実施例では、第２のピン２０はまた、第１のロッキングノッチ７２Ａまでずっと延びる、シャフト７０の先端部に傾斜部７３を画定してもよい。傾斜部７３により、第１のロッキングノッチ７２Ａが係合部材４２と整合し係合するまで、第２のピン２０の先端部を第４のロッキング機構３４Ｄの係合部材４２を越えて前進させることができる。かかる実施例では、傾斜部７３は、第１のピン２０が最初に導入され、第６の受容チャネル６８Ｂを通って前進したときに、第４のロッキング機構３４Ｄのロッキングを解除する必要性を回避することができる。
【００３３】
いくつかの実施例では、第５の受容部３０Ａは、第２のピン２０が受容チャネル６８Ａ及び６８Ｂのうちの１つ以上を通って前進するときに、ロッキング機構３４Ｃ及び３４Ｄの係合部材４２に対するロッキングノッチ７２Ａ及び７２Ｂの、適切な整合を支援する整合ピン７４を更に含んでもよい。整合ピン７４の動作は、第１のピン１８に関して上述した整合ピン６２の動作とほぼ同様であり得る。例えば、第５の受容部３０Ａは、整合ピン７４を受容するように構成された第５の受容チャネル２４Ａと、実質的に垂直に整合し延びる横方向チャネル（図示されていない）を画定してもよい。同様に、第２のピン２０は、シャフト７０の一部に沿って延びる長手方向スロット７８を画定してもよい。長手方向スロット７８が横方向チャネルと整合するまで、第２のピン２０を第５の受容チャネル６８Ａを通って前進させることができる。次いで、整合ピン７４が横方向チャネル及び長手方向スロット７８に挿入されることによって、第２のピン２０が第５の受容チャネル６８Ａ内で回転するのを防止することができる。加えて、いくつかの実施例では、整合ピン７４はまた、いったん装着された後に第２のピン２０がベース１２から完全に外れるのを防止するための保持ピンとして機能してもよい。
【００３４】
コネクタ１０の構成要素（例えば、ベース１２又は第１及び第２のピン１８及び２０）は、任意の好適な材料又は製造技術を使用して形成されてもよい。いくつかの実施例では、構成要素は、例えば熱処理されたアルミニウム亜鉛合金、ステンレス鋼、高強度複合材などを含む、高強度金属又は金属合金を含んでもよい。
【００３５】
コネクタ１０の第１の側１４及び第２の側１６の様々な機構は、図示及び説明されるように集合的にコネクタに組み込まれてもよく、又は独立してコネクタに組み込まれてもよい。例えば、本明細書に記載されるコネクタは、コネクタ１０が第２のピン１２を含むか、又はコネクタ１０をユーザの安全ハーネスに接続するために別の構造を使用するかにかかわらず、第１の側１４の内側受容部２２Ｃ及び２２Ｄ内にロッキング機構３４Ａ及び３４Ｂを配置することなど、第１の側１４の特徴のうちの１つ以上の利点を含み、実現することができる。追加的に又は代替的に、本明細書に記載されるコネクタは、コネクタ１０が第１のピン１２の全ての記載された特徴を含むかどうかとは無関係に、安全ハーネスへの取り付け易さなど、第２の側１２の特徴のうちの１つ以上の利点を含み、実現することができる。
【００３６】
一実施例では、本明細書に記載のコネクタ１０は、ロッキングノッチ３６Ｂを有する第１のピン１８と、第１の側１４及び第２の側１６を有するベース１２と、を含むことを特徴とし得る。ベース１２の第１の側１４は複数の第１の側受容部を含み、第１の側受容部は、第１、第２、及び第３の受容チャネル２４Ａ〜２４Ｃをそれぞれ画定する少なくとも第１、第２、及び第３の受容部２２Ａ〜２２Ｃを含んでもよい。かかる実施例では、第１の受容部２２Ａは、第１の側１４の第１の端部２６Ａを画定してもよく、第２の受容部２２Ｂは、第１の側１４の第２の端部２６Ｂを画定してもよく、第３の受容部２２Ｃは、第１の受容部２２Ａと第２の受容部２２Ｂとの間に配置されてもよい。複数の第１の側受容部２２Ａ〜２２Ｃは、落下抑制デバイスデバイスの接続点を受容するように構成された複数の第１の側開口部（例えば、２８Ａ〜２８Ｃ）を画定するために、互いに離間していてもよい。第１のピン１８は、ピンが複数の第１の側開口部（例えば、２８Ａ〜２８Ｃ）にまたがり、第１のピン１８が完全閉鎖構成にあるときに、第１、第２、及び第３の受容チャネル２４Ａ〜２４Ｃのそれぞれを通って延びるように、複数の第１の側受容部２２Ａ〜２２Ｃに摺動可能かつ動作可能に接続されてもよい。ベース１２は、第３の受容部２２Ｃに接続されたロッキング機構３４Ａを含んでもよく、該ロッキング機構は、ピンが完全閉鎖構成にあるときに第１のピン１８のロッキングノッチ３６Ｂと解放可能に係合するように構成されて、第１のピン１８が第３の受容チャネル２４Ｃを通って摺動して引き抜かれるのを防止するように構成されている。
【００３７】
別の実施例では、本明細書に記載のコネクタ１０は、第１のロッキングノッチ３６Ｂを有する第１のピン１８と、第２のロッキングノッチ７２Ｂを有する第２のピン２０と、第１の側１４及び第２の側１６を有するベース１２と、を含むことを特徴とし得る。ベース１２の第１の側１４は、複数の第１の側受容部を含み、第１の側受容部は、第１、第２、及び第３の受容チャネル２４Ａ〜２４Ｃをそれぞれ画定する少なくとも第１、第２、及び第３の受容部２２Ａ〜２２Ｃを含んでもよい。かかる実施例では、第１の受容部２２Ａは、第１の側１４の第１の端部２６Ａを画定してもよく、第２の受容部２２Ｂは、第１の側１４の第２の端部２６Ｂを画定してもよく、第３の受容部２２Ｃは、第１の受容部２２Ａと第２の受容部２２Ｂとの間に配置されてもよい。複数の第１の側受容部２２Ａ〜２２Ｃは、落下抑制デバイスの接続点を受容するように構成された複数の第１の側開口部（例えば、２８Ａ〜２８Ｃ）を画定するために、互いに離間していてもよい。第１のピン１８は、第１のピン１８が完全閉鎖構成にあるときに、第１のピン１８が複数の第１の側開口部（例えば、２８Ａ〜２８Ｃ）にまたがり、第１、第２、及び第３の受容チャネル２４Ａ〜２４Ｃのそれぞれを通って延びるように、複数の第１の側受容部２２Ａ〜２２Ｃに摺動可能かつ動作可能に接続されてもよい。ベースは、第１、第２、又は第３の受容部２２Ａ〜２２Ｃのうちの１つに接続された第１のロッキング機構３４Ａを含んでもよく、該ロッキング機構は、ピンが完全閉鎖構成にあるときに、第１のピン１８の第１のロッキングノッチ３６Ｂと解放可能に係合するように構成されて、第１、第２、又は第３の受容部２４Ａ〜２４Ｃのうちの少なくとも１つを通って摺動して引き抜かれるのを防止するように構成されている。
【００３８】
かかる実施例では、ベース１２の第２の側１６は、第４の受容チャネル６８Ａを画定する第４の受容部３０Ａと、第５の受容チャネル６８Ｂを画定する第５の受容部３０Ｂと、を含み得る。第４及び第５の受容部３０Ａ及び３０Ｂは、互いに分離されて、第２の側開口部３２を画定してもよい。第２のピン２０が、第２のピン２０が完全閉鎖構成にあるときに、第２の側開口部３２にまたがり、第４及び第５の受容チャネル６８Ａ及び６８Ｂを通って延びるように、第４及び第５の受容部３０Ａ及び３０Ｂに摺動可能かつ動作可能に接続される。ベースの第２の側１６は、第４の受容部３０Ａに接続された第２のロッキング機構３４Ｃを含む。第２のロッキング機構３４Ｃは、第２のピン２０が閉鎖構成にあるときに、第２のピン２０の第２のロッキングノッチ７２Ｂと解放可能に係合するように構成されて、第２のピン２０が第４の受容チャネル６８Ａを通って摺動して引き抜かれることを防止する。
【００３９】
本明細書に記載されるように、コネクタ１０を使用して、１つ以上の落下抑制デバイスを安全ハーネスに取り付けることができる。図８及び９は、安全ハーネス８２へのコネクタ１０と、落下抑制デバイス８４Ａ及び８４Ｂと、を含む例示的な落下防止システム８０を示す。図８は、落下抑制デバイス８４Ａのみがコネクタ８４Ａに取り付けられている中間組立段階を示し、図９は、落下抑制デバイス８４Ａ及び８４Ｂがコネクタ１０に取り付けられている完全組立段階にある落下防止システム８０を示す。
【００４０】
図８及び９に示されるように、コネクタ１０は、安全ハーネス８６の強固点８６に取り付けられてもよい。いくつかの実施例では、安全ハーネスの強固点は、ハーネスの一部を形成する１つ以上のストラップ又は帯紐片から構成されてもよい。図８の例示では、安全ハーネス８２の強固点８６は、互いに交差する２つの帯紐片を含み、安全ハーネス８２を他の落下防止具に固定するための点を提供する。いくつかの実施例では、安全ハーネス８２は、ユーザが安全ハーネス８２を着用したときに、強固点８６がユーザの背中上部の中央に位置するように構成されてもよい。かかる強固点８６の配置は、落下抑制中にユーザに十分な快適性を提供することができるだけでなく、コネクタ１０並びに取り付けられた落下抑制デバイス８４Ａ及び８４Ｂをユーザの作業領域から離れて配置することができる。
【００４１】
強固点８６は、第２のピン２０によってコネクタ１０の第２の側１６に接続されてもよい。例えば、第２のピン２０が開放構成（例えば、図２の構成）にあるとき、第２の側開口部３２は、安全ハーネス８２の強固点８６を受容するように構成されてもよい。次いで、第６の受容部３０Ｂが第２のピン２０を受容するまで、第２のピン２０を強固点８６の下で前進させることができる。いったん閉鎖構成（例えば、図１の構成）に至れば、第３及び第４のロッキング機構３４Ｃ及び３４Ｄの係合部材４２は、第２のピン２０の第２及び第１のロッキングノッチ７２Ａ及び７２Ｂと係合して、ピンを完全閉鎖構成にロッキングする。それにより、第２のピン２０は、第２の開口部３２内の強固点８６を捕捉して、コネクタ１０が安全ハーネス８２から分離されることを防止する。
【００４２】
強固点８６をコネクタ１０から外すには、第３のロッキング機構３４Ｃ及び第４のロッキング機構３４Ｄの両方のヘッド４８を押して、ロッキング機構の係合部材４２をロッキングノッチ７２Ａ及び７２Ｂから係合解除することができる。次に、第２のピン２０を摺動して引き抜いて、第２のピン２０を開放構成（例えば、図２の構成）に戻し、強固点８６を第２の開口部３２から外すことができる。いくつかの実施例では、第２のピン２０は、第２のピン２０を摺動して引き抜くのを支援するためにユーザによって把持され得るヘッド９０を一端に含んでもよい。
【００４３】
いくつかの実施例では、第２のピン２０を介して強固点８６に取り付けるようにコネクタ１０を設計することによって、コネクタ１０は、従来のコネクタと比較していくつかの利点を提供することができる。例えば、第２のピン２０のシャフト７０の円筒形状は、強固点８６の下で第２のピン２０の滑らかな前進を可能にする。これにより、強固点８６を形成するストラップが、コネクタ１０内でねじれる、又はそれ以外の形で締め付けられる可能性を制限することができる。更に、第２の側１６の設計は、コネクタ１０を安全ハーネス８２に取り付け、ストラップが第２のピン２０に対して適切に配置される（例えば、整える）ように確保するために、ユーザの労力を少なくすることが必要であり得る。比較すると、従来のコネクタは、ベース自体を介して強固点８６に接続し、ベースに落下抑制デバイスを取り付けるための単一のピン又はゲートを利用する。従来のベースは、典型的には嵩高であるため、ユーザは、強固点８６のストラップを引っ張って、ベースが強固点８６の下で摺動できるように十分に大きい開口を生成する必要がある。安全ハーネス８２のストラップが、強固点８６が落下に関連する力に耐えることができるように比較的硬質である場合、強固点８６において弛みを生成することは、ユーザの大きな労力を要することがある。加えて、従来のベースの形状及び嵩高さにより、ユーザがベースを安全ハーネス８２に取り付ける際に、ベースがストラップに引っ掛かる、又はストラップをねじる傾向が高くなり得る。したがって、本明細書に記載されるように、第２のピン２０を介してコネクタ１０を強固点８６に取り付けることにより、コネクタ１０は、安全ハーネス８２に取り付けるための容易かつ便利な機構を提供することができる。
【００４４】
落下抑制デバイス８４Ａ及び８４Ｂは、第１のピン１８を用いてコネクタ１０の第１の第２の側１４に接続されてもよい。落下抑制デバイス８４Ａ及び８４Ｂは、支持構造体に接続し、ユーザの落下を抑制するように設計された任意の好適なデバイスを含んでもよい。落下抑制デバイスの例としては、３Ｍ  Ｆａｌｌ  Ｐｒｏｔｅｃｔｉｏｎ  Ｂｕｓｉｎｅｓｓによって製造された３ＭＴＭＤＢＩ−ＳＡＬＡ（登録商標）ＳＲＬ、３Ｍ  Ｆａｌｌ  Ｐｒｏｔｅｃｔｉｏｎ  Ｂｕｓｉｎｅｓｓによって製造された３ＭＴＭＤＢＩ−ＳＡＬＡ（登録商標）Ｍｏｂｉｌｅ  Ｒｏｐｅ  Ｇｒａｂ、安全ラ二ヤードなどのＳＲＬを挙げることができる。
【００４５】
複数の第１の側開口部２８Ａ〜２８Ｃはそれぞれ、落下抑制デバイス８４Ａ又は８４Ｂの接続点８８Ａ及び８８Ｂを受容するように構成されてもよい。接続点８８Ａ及び８８Ｂは、アイボルトなどの閉鎖コネクタや、クイックリンク又はカラビナなどのゲートコネクタが挙げられるが、これらに限定されない。接続点８８Ａ及び８８Ｂは、第１のピン１８が完全閉鎖ロッキング構成（例えば、図１及び９の構成）にあるときに、第１のピン１８のシャフト６０を受容するのに十分な大きさの開口部を含んでもよく、第１のピン１８は、落下抑制デバイス８４Ａ及び８４Ｂの接続点８８Ａ及び８８Ｂを捕捉することにより、コネクタ１０が落下抑制デバイス８４Ａ及び８４Ｂから分離されるのを防止することができる。
【００４６】
いくつかの実施例では、第３の受容部２２Ｃ、コネクタ１０などの内側受容部上に第１のロッキング機構３４Ａを含むことにより、コネクタ１０は、部分閉鎖ロッキング構成（例えば、図８の構成）を提供し、それにより、落下抑制デバイス８４Ａ及び８４Ｂを互いに独立してコネクタ１０に取り付けることができる。例えば、完全開放構成（例えば、図２の構成）では、第１の落下抑制デバイス８４Ａの接続点８８Ａは、第１及び第３の受入れ部分２２Ａ及び２２Ｃによって画定される第１の側開口部２８Ａ内に受容されてもよい。次いで、第１のピン１８は、シャフト６０の第１のロッキングノッチ３６Ａが第１のロッキング機構３４Ａと係合して、落下抑制デバイス８４Ａをコネクタ１０に接続しロッキングするまで、第１の受容チャネル２４Ａ、接続点８８Ａの開口、及び第３の受容チャネル２４Ｃを通って摺動して前進させることができる。
【００４７】
次いで、第２の落下抑制デバイス８４Ａの接続点８８Ｂは、第２及び第４の受容部２２Ｂ及び２２Ｄによって画定される第１の側開口部２８Ｃなどの、残りの複数の第１の側開口部のうちの１つに受容されてもよい。次いで、ユーザは、第１のロッキング機構３４Ａのヘッド４８を押下してロッキング機構の係合部材４２を係合解除し、第１のピン１８を接続部分８８Ｂの開口を通って、第２の受容チャネル２４Ｂに向かって摺動して前進させることができる。第１のピン１８が完全閉鎖構成（例えば、図１の構成）まで前進すると、第１のロッキング機構３４Ａは、第２のロッキングノッチ３６Ｂと係合して、第１及び第３の第１の側開口部２８Ａ及び２８Ｃを有する、落下抑制デバイス８４Ａ及び８４Ｂの両方の接続点８８Ａ及び８８Ｂを捕捉し保持する。第１の側１４が第２のロッキング機構３４Ｂも含む実施例では、いったん第１のピン１８が完全閉鎖構成に入ると、第２のロッキング機構３４Ｂが、第１のロッキングノッチ３６Ａと係合する。
【００４８】
コネクタ１０から落下抑制デバイス８４Ａ及び８４Ｂの一方又は両方を取り外すには、第１及び第２のロッキング機構３４Ａ及び３４Ｂの両方のヘッド４８を押して、ロッキング機構の係合部材４２を係合解除することができる。次に、第１のピン１８を摺動して引き抜き、コネクタ１０の第１の側１４を完全開放構成（例えば、図２の構成）に戻すことで、接続点８８Ａ及び８８Ｂを第１の側開口部２８Ａ及び２８Ｃから取り外すことができる。いくつかの実施例では、第１のピン１８は、第１のピン１８を摺動して引き抜くのを支援するためにユーザによって把持され得るヘッド９２を一端に含み得る。
【００４９】
いくつかの実施例では、第１及び第２の外側受容部２２Ａ及び２２Ｂとは異なり、内側受容部２２Ｃ及び２２Ｄ内に、第１及び第２のロッキング機構３４Ａ及び３４Ｂを含むことにより、第１及び第２の落下抑制デバイス８４Ａ及び８４Ｂが、コネクタ１０内でより広い移動範囲を発揮し得る。例えば、内側受容部２２Ｃ及び２２Ｄ内に、第１及び第２のロッキング機構３４Ａ及び３４Ｂを含むことによって、第１の端部２６Ａ及び第２の端部２６Ｂをそれぞれ形成する第１及び第２の受容部２２Ａ及び２２Ｂは、内側受容部２２Ｃ及び２２Ｄよりも遮られない、又はかさばらない状態を保ち得る。接続点８８Ａ及び８８Ｂの開口は、コネクタ１０に接続されている間（例えば、図９の構成）、接続点８８Ａ及び８８Ｂの一方又は両方は、第１の端部２６Ａ及び第２の端部２６Ｂを中心に枢動できるようにサイズ決めすることができる。例えば、第２の落下抑制デバイス８４Ｂの接続点８８Ｂは、図９において時計回りに枢動することができてもよく、それにより、接続点は、第１の側開口部２８Ｃ内に捕捉されたままで、第２の受容部２２Ｂを越えて摺動して、図９において水平に（例えば、第１のピン１８の長手方向軸に平行に）整合させることができる。
【００５０】
いくつかの実施例では、接続点８８Ａ及び８８Ｂが、第１の側１４の第１及び第２の端部２６Ａ及び２６Ｂを中心に枢動できることにより、使用中の落下防止システム８０のより大きな可動性と、より安全な動作が可能になる。例えば、落下抑制デバイス８４Ａ及び８４Ｂは、典型的には、デバイスがユーザに対して垂直に整合されるように（例えば、図９に示されるように）接続される。ユーザが、固定される支持構造体から横方向に離れて移動する場合、落下抑制デバイス８４Ａ及び８４Ｂは、ユーザに対して水平方向に引っ張られる（例えば、第１のピン１８の中心軸に対して平行に引っ張られる）場合がある。落下抑制デバイス８４Ａ及び８４Ｂのうちの１つ以上が、第１の端部２６Ａ又は第２の端部２６Ｂを中心に自由に枢動できない場合、落下抑制デバイス８４Ａ及び８４Ｂは、複数の第１の側開口部２８Ａ〜２８Ｃ内に結合することができる。かかる結合は、落下抑制デバイス８４Ａ及び８４Ｂを支持構造体に連結するテザー（例えば、命綱）を延長又は後退させる際に抵抗を増大させて、ユーザが支持構造体に対して自由に動くのを邪魔する可能性がある。追加的に又は代替的に、万一落下が生じる場合、かかる結合は、落下防止システム８０の衝撃負荷を追加し、構成要素のうちの１つ以上にかかる応力を増加させて、ユーザの落下を阻止する。
【００５１】
図１０及び１１は、コネクタ１０を使用して、２つ以上の落下抑制デバイス８４Ａ及び８４Ｂを安全ハーネス８２に取り付けるための、例示的な手法を示すフローチャートである。図１０の手法は、落下抑制デバイス８４Ａ及び８４Ｂをコネクタ１０に取り付けることに対応し、コネクタ１０の第１のピン１８を完全開放構成（例えば、図２の構成）に配置すること（１００）と、第１の落下抑制デバイス８４Ａの接続点８４Ａを第１の側開口部２８Ａ内に配置すること（１０２）と、第１のピン１８をロッキング部分閉鎖構成（例えば、図３及び８の構成）に摺動して前進させて、第１の落下抑制デバイス８４Ａの接続点８４Ａを第１の側開口部２８Ａ内に捕捉すること（１０４）と、第２の落下抑制デバイス８４Ｂの接続点８４Ｂをコネクタ１０の後続の第１の側開口部２８Ｃ内に配置すること（１０６）と、第１のピン１８をロッキング完全閉鎖構成（例えば、図１及び９の構成）に摺動して前進させて、第２の落下抑制デバイス８４Ｂの接続点８８Ｂを第１の側開口部２８Ｃ内に捕捉すること（１０８）と、を含む。
【００５２】
上述したように、コネクタ１０は、少なくとも、第１の側１４の第１の受容チャネル２４Ａ及び第１の端部２６Ａを画定する第１の受容部２２Ａと、第１の側１４の第２の受容チャネル２４Ｂ及び第２の端部２６Ｂを画定する第２の受容部２２Ｂと、第３の受容チャネル２４Ｃを画定し、第１の受容部２２Ａと第２の受容部２２Ｂとの間に配置される第３の受容部２２Ｃと、を有する複数の第１の側受容部２２Ａ〜２２Ｄを含む第１の側１４を画定するベース１２を含むことができる。
【００５３】
完全開放構成（１００）では、第１のピン１８は、第１及び第３の受容部２２Ａ及び２２Ｃによって画定される第１の側開口部２８Ａが開放されアクセス可能であるように、第１の受容チャネル２４Ａ内にのみ受容されてもよい。いくつかのかかる実施例では、第１の受容部２２Ａ内の整合ピン６２が、第１のピン１８がベース１２から外れるのを防止するために、スロット６４と係合してもよい。
【００５４】
いったん完全開放構成（例えば、図２の構成）に入ると、第１の落下抑制デバイス８４Ａの接続点８８Ａを、第１及び第３の受容部２２Ａ及び２２Ｃによって画定される第１の側開口部２８Ａ内に導入することができ（１０２）、第１のピン１８を、ロッキング部分閉鎖構成（例えば、図３及び８の構成）に摺動して前進させて、第１の落下抑制デバイス８４Ａの接続点８８Ａを第１の側開口部２８Ａ内に捕捉することができる（１０４）。例えば、第１のピン１８は、接続点８８Ａの開口を通って第３の受容チャネル２２Ｃ内へと前進させて接続点８８Ａを捕捉し、落下抑制デバイス８４Ａがコネクタ１０から外れるのを防止することができる。第３の受容部２２Ｃが第１のロッキング機構３４Ａを含む実施例では、第１のロッキング機構３４Ａのヘッド４８が押し下げられ、第１のピンの第１のロッキングノッチ３６Ａが第１のロッキング機構３４Ａと整合するまで、第１のピン１８が摺動して前進させられてもよい。次いで、第１のロッキングノッチ３６Ａが係合部材４２と係合して、第１のピン１８を部分閉鎖構成（例えば、図８の構成）で効果的にロッキングするように、第１のロッキング機構３４Ａのヘッド４８を解放することで、第１のピン１８が第３の受容チャネル２４Ｃから（例えば、完全開放構成に向かって）後退するのを防止することができる。追加的に又は代替的に、第１のピン１８は１つ以上の傾斜部６３Ａ及び６３Ｂ、例えば、シャフト６０の前端部から第１のロッキングノッチ３２Ａまで延びる、第１の傾斜部６３Ａを含んでもよい。傾斜部６３Ａは、ユーザが第１のロッキング機構３４Ａのヘッド４８を手動でロッキング部分閉鎖構成まで押し下げる必要なく、前進力が加えられたときに第１のロッキング機構３４Ａの係合部材４２を押し下げて、第１のピン１８を完全閉鎖構成に向かって摺動して前進させることができる。
【００５５】
いくつかの実施例では、第１のピン１８をロッキング部分閉鎖構成に置くことにより、ユーザは、両方のデバイスを同時に扱ってコネクタ１０に取り付ける必要なく、互いに独立して落下抑制デバイス８４Ａ及び８４Ｂを簡便に取り付けることができる。
【００５６】
いったん第１の落下抑制デバイス８４Ａが、上述のようにコネクタ１０に取り付けられると、次に、ユーザは、第２の落下抑制デバイス８４Ｂを、第１の側開口部２８Ｂ又は２８Ｃのうちの一方に、第２の落下抑制デバイス８４Ｂの接続点８８Ｂを導入することによって、第２の落下抑制デバイス８４Ｂをコネクタ１０に取り付けることができ（１０６）、次いで、第１のピン１８を、ロッキング完全閉鎖構成（例えば、図１及び９の構成）に摺動して前進させて、複数の第１の側開口部２８Ａ〜２８Ｃの別の開口部２８Ｂ又は２８Ｃ内に、第２の落下抑制デバイス８４Ｂの接続点８８Ｂを捕捉することができる（１０８）。例えば、第２の落下抑制デバイス８４Ｂの接続点８８Ｂは、第２及び第４の受容部２２Ｂ及び２２Ｄによって画定される第１の側開口部２８Ｃに導入されてもよい。次いで、第１のロッキング機構３４Ａは、ヘッド４８を押下することによって、第１のロッキングノッチ３６Ａから係合解除されてもよい。第１のピン１８が、第１のロッキングノッチ３６Ａと第２のロッキングノッチ３６Ｂとの間に第２の傾斜部６３Ｂを含む実施例では、第２の傾斜路６３Ｂは、手動でヘッド４８を押し下げる必要なく、前進力が加えられるときに第１のロッキング機構を自動的に係合解除することができる。次いで、第１のピン１８は、（例えば、存在する場合には第２のロッキング機構３４Ｂのヘッド４８を押し下げることによって）第４の受容チャネル２４Ｄ、接続点８８Ｂの開口、及び第２の受容チャネル２４Ｂを通って摺動して前進させることができる。いったん完全に挿入されると、第１のロッキング機構３４Ａは、第２のロッキングノッチ３６Ｂと係合して、第１のピン１８を定位置にロッキングすることによって、第１及び第２の落下抑制デバイス８４Ａ及び８４Ｂの両方を捕捉し、それらがコネクタ１０から分離されるのを防止する。第１の側１４が二重保護のための第２のロッキング機構３４Ｂも含む実施例では、第２のロッキング機構は、第１のピン１８がベース１２内に完全に挿入されたときに、第１のロッキングノッチ３６Ａと係合し得る。
【００５７】
第２の落下抑制デバイス８４Ｂの接続点８８Ｂは、第１の側開口部２８Ｂ又は２８Ｃのいずれかに導入されてもよいが、いくつかの実施例では、コネクタ１０の組立のバランスを取り、使用中にコネクタが、ねじれたり絡みあったりするのを防止するために、第２の落下抑制デバイス８４Ｂを第１の側開口部２８Ｃ内に保持することが好ましい場合がある。追加的に又は代替的に、コネクタ１０が、内側受容部２２Ｃ及び２２Ｄ内に第１及び第２のロッキング機構３４Ａ及び３４Ｂの両方を含む場合、第１の側開口部２８Ｃ内に第２の落下抑制デバイス８４Ｂを配置することで、上述のように、接続点８８Ｂが第２の端部２６Ｂ（例えば、第２の受容部２２ＣＢ）を中心に枢動することができる。
【００５８】
第１及び第２の落下抑制デバイス８４Ａ及び８４Ｂをコネクタ１０から取り外すためには、第１及び第２のロッキング機構３４Ａ及び３４Ｂのヘッド４８を押し下げて、第１のピン１８を摺動して引き抜き、接続点８８Ａ及び８８Ｂを第１の側開口部２８Ａ及び２８Ｃから解放させることができる。
【００５９】
図１１の手法は、コネクタ１０を安全ハーネス８２に取り付けることに対応し、コネクタ１０の第２のピン２０を完全開放構成（例えば、図２の構成）に配置すること（１１０）と、安全ハーネス８２の強固点８６を第２の側開口部３２内に配置すること（１１２）と、第２のピン２０をロッキング完全閉鎖構成（例えば、図１及び８の構成）まで摺動して前進させて、第２の側開口部３２内に強固点８６を捕捉すること（１１４）と、を含む。
【００６０】
上述したように、コネクタ１０は、受容チャネル６８Ａ及び６８Ｂをそれぞれ画定する第５及び第６の受容部３０Ａ及び３０Ｂを含む、第２の側１４を画定するベース１２を含んでもよい。第５及び第６の受容部３０Ａ及び３０Ｂはまた、第２のピン２０が完全閉鎖構成（例えば、図１の構成）にあるときに、第２のピン２０がまたがる受容部の間に、第２の側開口部３２を画定する。
【００６１】
完全開放構成（１１０）では、第２のピン２０は、第２の側開口部３２が開放されアクセス可能であるように、第５の受容チャネル３０Ａにだけ受容されてもよい。いくつかのかかる実施例では、第５の受容部３０Ａ内の整合ピン６２は、第２のピン２０がベース１２から外れるのを防ぐために、スロット７８と係合してもよい。
【００６２】
いったん完全開放構成（例えば、図２の構成）に入ると、安全ハーネス８２の強固点８６は、第２の側開口部３２に導入させることができる。次いで、強固点８６の下で、ロッキング完全閉鎖構成（例えば、図１及び８の構成）まで第２のピン２０を摺動して前進させて、第２の側開口部３２（１１４）内の強固点８６を捕捉することができる。上述したように、ベース１２ではなく、強固点８６の下で第２のピン２０を摺動して前進させることは、落下防止システム８０の組み付けを簡便にする、組み付け精度を確認し易くするなどの、いくつかの利点を提供することができる。
【００６３】
いったん完全ロッキング構成に入ると、第３及び第４のロッキング機構３４Ｃ及び３４Ｄは、第１及び第２のロッキングノッチ７２Ａ及び７２Ｂと係合して、第２のピン２０をベース１２内に二重に保持することができる。
【００６４】
コネクタ１０から安全ハーネス８２を解放するには、第３及び第４のロッキング機構３４Ｃ及び３４Ｄのヘッド４８を押して、第２のピン２０を第６の受容チャネル６８Ｂから摺動して引き抜き、第２の側開口部３２から強固点８６を解放させることができる。
【００６５】
さまざまな実施例について説明してきた。これら及びその他の実施例は、以下の特許請求の範囲の範囲内である。
【図１】
2020526343.tif 000003
【図２】
2020526343.tif 000004
【図３】
2020526343.tif 000005
【図４】
2020526343.tif 000006
【図５Ａ】
2020526343.tif 000007
【図５Ｂ】
2020526343.tif 000008
【図６Ａ】
2020526343.tif 000009
【図６Ｂ】
2020526343.tif 000010
【図６Ｃ】
2020526343.tif 000011
【図７Ａ】
2020526343.tif 000012
【図７Ｂ】
2020526343.tif 000013
【図７Ｃ】
2020526343.tif 000014
【図８】
2020526343.tif 000015
【図９】
2020526343.tif 000016
【図１０】
2020526343.tif 000017
【図１１】
2020526343.tif 000018
【国際調査報告】
2020526343.tif 000019
2020526343.tif 000020
2020526343.tif 000021